(57)【要約】【課題】既存の住宅分電盤に電圧上昇検出部などの追加の回路を設けられない場合もある。【解決手段】制御装置は、系統電源と連系するパワーコンディショナの系統電源側の線間電圧に対応する第１電圧を検出する電圧検出部から第１電圧を取得する電圧取得部と、第１電圧に基づいて、パワーコンディショナと系統電源との間に設けられた負荷のパワーコンディショナ側の線間電圧に対応する第２電圧を導出する線間電圧導出部と、第２電圧に基づいて、パワーコンディショナの出力電圧の上昇を抑制する抑制制御を実行する抑制制御部とを備える。【選択図】図１
2014180113.tif 000002
【特許請求の範囲】
【請求項１】
系統電源と連系するパワーコンディショナの前記系統電源側の線間電圧に対応する第１電圧を検出する電圧検出部から第１電圧を取得する電圧取得部と、
前記第１電圧に基づいて、前記パワーコンディショナと前記系統電源との間に設けられた負荷の前記パワーコンディショナ側の線間電圧に対応する第２電圧を導出する線間電圧導出部と、
前記第２電圧に基づいて、前記パワーコンディショナの出力電圧の上昇を抑制する抑制制御を実行する抑制制御部と
を備える制御装置。
【請求項２】
前記線間電圧導出部は、前記第１電圧が閾電圧以上の場合、前記第２電圧を導出する、請求項１に記載の制御装置。
【請求項３】
前記電圧取得部は、前記電圧検出部から、前記パワーコンディショナの前記系統電源側の第１電圧線と中性線との間の線間電圧に対応する前記第１電圧と、前記パワーコンディショナの前記系統電源側の第１電圧線と中性線との間の線間電圧と前記負荷の前記パワーコンディショナ側の前記第１電圧線と前記中性線との間の線間電圧とが加算された電圧に対応する加算電圧とを取得し、
前記線間電圧導出部は、前記第１電圧および前記加算電圧に基づいて、前記第２電圧を導出する、請求項１または請求項２に記載の制御装置。
【請求項４】
前記電圧検出部は、前記電圧検出部と、前記負荷の前記パワーコンディショナ側の前記第１電圧線および前記中性線とを電気的に接続または切断するスイッチを有し、
前記電圧検出部は、前記スイッチを介して前記電圧検出部と、前記負荷の前記パワーコンディショナ側の前記第１電圧線および前記中性線とを切断した状態で、前記第１電圧を検出し、前記スイッチを介して前記負荷の前記パワーコンディショナ側の前記第１電圧線および前記中性線とを接続した状態で、前記加算電圧を検出する、請求項３に記載の制御装置。
【請求項５】
前記パワーコンディショナの出力電流を検出する電流検出部から前記出力電流を取得する電流取得部をさらに備え、
前記電圧取得部は、前記電圧検出部から、前記パワーコンディショナの前記系統電源側の第２電圧線と前記中性線との間の線間電圧に対応する第３電圧をさらに取得し、
前記線間電圧導出部は、前記第１電圧、前記第２電圧、前記第３電圧、および前記出力電流に基づいて、前記負荷の前記パワーコンディショナ側の前記第２電圧線と前記中性線との間の線間電圧に対応する第４電圧をさらに導出し、
前記抑制制御部は、前記第２電圧または前記第４電圧に基づいて、前記抑制制御を実行する、請求項３または請求項４に記載の制御装置。
【請求項６】
前記パワーコンディショナの出力電流を検出する電流検出部から前記出力電流を取得する電流取得部をさらに備え、
前記電圧取得部は、前記パワーコンディショナの前記系統電源側の第１電圧線と中性線との間の線間電圧に対応する前記第１電圧、前記パワーコンディショナの前記系統電源側の第２電圧線と前記中性線との間の線間電圧に対応する第３電圧、および前記負荷の前記パワーコンディショナ側の前記第１電圧線と前記第２電圧線との間の線間電圧に対応する第４電圧を前記電流検出部から取得し、
前記線間電圧導出部は、前記第１電圧、前記第３電圧、前記第４電圧および前記出力電流に基づいて、前記負荷の前記パワーコンディショナ側の前記第１電圧線と前記中性線との間の線間電圧に対応する前記第２電圧、または前記負荷の前記パワーコンディショナ側の前記第２電圧線と前記中性線との間の線間電圧に対応する第５電圧を導出し、
前記抑制制御部は、前記第２電圧または前記第５電圧に基づいて、前記抑制制御を実行する、請求項１または請求項２に記載の制御装置。
【請求項７】
前記線間電圧導出部が前記第２電圧を導出できない場合、前記抑制制御部は、前記第２電圧の代わりに前記第１電圧に基づいて前記抑制制御を実行する、請求項１から請求項６のいずれか１つに記載の制御装置。
【請求項８】
請求項１から請求項７のいずれか１つに記載の制御装置と、
前記電圧検出部と、
分散型電源からの電力を前記系統電源からの電力と連系させるインバータと
を備え、
前記抑制制御部は、前記インバータの出力を制御することで前記抑制制御を実行する、パワーコンディショナ。
【請求項９】
請求項８に記載のパワーコンディショナと、
前記分散型電源と
を備える分散型電源システム。
【請求項１０】
コンピュータを、請求項１から請求項７のいずれか１つに記載の制御装置として機能させるためのプログラム。
【請求項１１】
系統電源と連系するパワーコンディショナの前記系統電源側の線間電圧に対応する第１電圧を電圧検出部から取得する段階と、
前記第１電圧に基づいて、前記パワーコンディショナと前記系統電源との間に設けられた負荷の前記パワーコンディショナ側の線間電圧に対応する第２電圧を導出する段階と、
前記第２電圧に基づいて、前記パワーコンディショナの出力電圧の上昇を抑制する電圧抑制制御を実行する段階と
を含む制御方法。
【発明の詳細な説明】
【技術分野】
【０００１】
本発明は、制御装置、パワーコンディショナ、分散型電源システム、プログラム、および制御方法に関する。
【背景技術】
【０００２】
特許文献１には、商用電源に系統連系させる発電設備の出力制御に際して幹線の線間電圧を反映させた系統連系発電システムが開示されている。
特許文献１  特開２００３−９３９９号公報
【発明の概要】
【発明が解決しようとする課題】
【０００３】
上記の系統連系発電システムによれば、電圧上昇検出部を住宅分電盤に設けて、幹線の線間電圧を検出している。しかしながら、既存の分電盤に電圧上昇検出部などの追加の回路を設けられない場合もある。
【課題を解決するための手段】
【０００４】
本発明の一態様に係る制御装置は、系統電源と連系するパワーコンディショナの系統電源側の線間電圧に対応する第１電圧を検出する電圧検出部から第１電圧を取得する電圧取得部と、第１電圧に基づいて、パワーコンディショナと系統電源との間に設けられた負荷のパワーコンディショナ側の線間電圧に対応する第２電圧を導出する線間電圧導出部と、第２電圧に基づいて、パワーコンディショナの出力電圧の上昇を抑制する抑制制御を実行する抑制制御部とを備える。
【０００５】
上記制御装置において、線間電圧導出部は、第１電圧が閾電圧以上の場合、第２電圧を導出してもよい。
【０００６】
上記制御装置において、電圧取得部は、電圧検出部から、パワーコンディショナの系統電源側の第１電圧線と中性線との間の線間電圧に対応する第１電圧と、パワーコンディショナの系統電源側の第１電圧線と中性線との間の線間電圧と負荷のパワーコンディショナ側の第１電圧線と中性線との間の線間電圧とが加算された電圧に対応する加算電圧とを取得し、線間電圧導出部は、第１電圧および加算電圧に基づいて、第２電圧を導出してもよい。
【０００７】
上記制御装置において、電圧検出部は、電圧検出部と、負荷のパワーコンディショナ側の第１電圧線および中性線とを電気的に接続または切断するスイッチを有し、電圧検出部は、スイッチを介して電圧検出部と、負荷のパワーコンディショナ側の第１電圧線および中性線とを切断した状態で、第１電圧を検出し、スイッチを介して負荷のパワーコンディショナ側の第１電圧線および中性線とを接続した状態で、加算電圧を検出してもよい。
【０００８】
上記制御装置において、パワーコンディショナの出力電流を検出する電流検出部から出力電流を取得する電流取得部をさらに備え、電圧取得部は、電圧検出部から、パワーコンディショナの系統電源側の第２電圧線と中性線との間の線間電圧に対応する第３電圧をさらに取得し、線間電圧導出部は、第１電圧、第２電圧、第３電圧、および出力電流に基づいて、負荷のパワーコンディショナ側の第２電圧線と中性線との間の線間電圧に対応する第４電圧をさらに導出し、抑制制御部は、第２電圧または第４電圧に基づいて、抑制制御を実行してもよい。
【０００９】
上記制御装置において、パワーコンディショナの出力電流を検出する電流検出部から出力電流を取得する電流取得部をさらに備え、電圧取得部は、パワーコンディショナの系統電源側の第１電圧線と中性線との間の線間電圧に対応する第１電圧、パワーコンディショナの系統電源側の第２電圧線と中性線との間の線間電圧に対応する第３電圧、および負荷のパワーコンディショナ側の第１電圧線と第２電圧線との間の線間電圧に対応する第４電圧を電流検出部から取得し、線間電圧導出部は、第１電圧、第３電圧、第４電圧および出力電流に基づいて、負荷のパワーコンディショナ側の第１電圧線と中性線との間の線間電圧に対応する第２電圧、または負荷のパワーコンディショナ側の第２電圧線と中性線との間の線間電圧に対応する第５電圧を導出し、抑制制御部は、第２電圧または第５電圧に基づいて、抑制制御を実行してもよい。
【００１０】
上記制御装置において、線間電圧導出部が第２電圧を導出できない場合、抑制制御部は、第２電圧の代わりに第１電圧に基づいて抑制制御を実行してもよい。
【００１１】
本発明の一態様に係るパワーコンディショナは、上記制御装置と、電圧検出部と、分散型電源からの電力を系統電源からの電力と連系させるインバータとを備え、抑制制御部は、インバータの出力を制御することで抑制制御を実行する。
【００１２】
本発明の一態様に係る分散型電源システムは、上記パワーコンディショナと、分散型電源とを備える。
【００１３】
本発明の一態様に係るプログラムは、コンピュータを上記制御装置として機能させるためのプログラムである。
【００１４】
本発明の一態様に係る制御方法は、系統電源と連系するパワーコンディショナの系統電源側の線間電圧に対応する第１電圧を電圧検出部から取得する段階と、第１電圧に基づいて、パワーコンディショナと系統電源との間に設けられた負荷のパワーコンディショナ側の線間電圧に対応する第２電圧を導出する段階と、第２電圧に基づいて、パワーコンディショナの出力電圧の上昇を抑制する電圧抑制制御を実行する段階とを含む。
【００１５】
なお、上記の発明の概要は、本発明の必要な特徴の全てを列挙したものではない。また、これらの特徴群のサブコンビネーションもまた、発明となりうる。
【図面の簡単な説明】
【００１６】
【図１】本実施形態に係る太陽電池システムの全体構成の一例を示すシステム構成図である。
【図２】電圧検出部の回路構成の一例を示す図である。
【図３】制御装置の機能ブロックの一例を示す図である。
【図４】電圧上昇の抑制制御の一例を示すフローチャートである。
【図５】変形例に係る太陽電池システムの全体構成の一例を示すシステム構成図である。
【図６】変形例に係る電圧検出部の回路構成の一例を示す図である。
【図７】変形例に係る制御装置の機能ブロックの一例を示す図である。
【図８】他の変形例に係る太陽電池システムの全体構成の一例を示すシステム構成図である。
【図９】他の変形例に係る電圧検出部の回路構成の一例を示す図である。
【発明を実施するための形態】
【００１７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１８】
図１は、本実施形態に係る太陽電池システムの全体構成の一例を示すシステム構成図を示す。太陽電池システムは、太陽電池アレイ２００と、パワーコンディショナ１０とを備える。太陽電池アレイ２００は、複数の太陽電池モジュールが直列に接続された複数の太陽電池ストリングが並列に接続されている。太陽電池アレイ２００は、分散型電源の一例である。分散型電源として、ガスエンジン、ガスタービン、マイクロガスタービン、燃料電池、風力発電装置、電気自動車、または蓄電システムなどが用いられてよい。
【００１９】
パワーコンディショナ１０は、太陽電池アレイ２００から出力される直流電圧を昇圧し、昇圧された直流電圧を交流電圧に変換して、系統電源３００側に出力する。パワーコンディショナ１０は、コンデンサＣ１、昇圧回路２０、コンデンサＣ２、インバータ４０、コイルＬ、コンデンサＣ３、リレー５０、供給電源６０、電圧検出部７０および制御装置１００を備える。
【００２０】
コンデンサＣ１の一端および他端は、太陽電池アレイ２００の正極端子および負極端子に電気的に接続され、太陽電池アレイ２００から出力される直流電圧を平滑化する。昇圧回路２０は、いわゆるチョッパ方式スイッチングレギュレータでよい。昇圧回路２０は、太陽電池アレイ２００からの電圧を昇圧する。昇圧回路２０は、例えば、ハーフブリッジ型昇圧回路、フルブリッジ型昇圧回路などのトランス巻線を有する絶縁型昇圧回路により構成してもよい。
【００２１】
コンデンサＣ２は、昇圧回路２０から出力される直流電圧を平滑化する。インバータ４０は、スイッチを含み、スイッチがオンオフすることで昇圧回路２０から出力された直流電圧を交流電圧に変換し、系統電源３００側に出力する。インバータ４０は、例えば、ブリッジ接続された４つの半導体スイッチを含む単相フルブリッジＰＷＭインバータにより構成してもよい。４つの半導体スイッチのうち、一方の一対の半導体スイッチは直列に接続される。４つの半導体スイッチのうち、他方の一対の半導体スイッチは、直列に接続され、かつ一方の一対の半導体スイッチと並列に接続される。
【００２２】
インバータ４０と系統電源３００との間には、コイルＬおよびコンデンサＣ３が設けられる。コイルＬおよびコンデンサＣ３は、インバータ４０から出力された交流電圧からノイズを除去する。また、コンデンサＣ３と系統電源３００との間には、リレー５０が設けられる。リレー５０は、インバータ４０と系統電源３００との間を電気的に遮断するか否かを切り替える。リレー５０がオンすることで、パワーコンディショナ１０と系統電源３００とが電気的に接続され、オフすることでパワーコンディショナ１０と系統電源３００とが電気的に遮断される。
【００２３】
パワーコンディショナ１０は、出力端子５２，５４、および５６をさらに有する。コンデンサＣ３の両端には、出力端子５２および５６が接続されている。出力端子５２には、Ｕ相の電流が流れる第１電圧線２５０ｕが接続されている。出力端子５４には、Ｏ相の電流が流れる中性線２５０ｏが接続されている。出力端子５６には、Ｗ相の電流が流れる第２電圧線２５０ｗが接続されている。
【００２４】
第１電圧線２５０ｕは、抵抗Ｒｕ１および抵抗Ｒｕ２を有する。中性線２５０ｏは、抵抗Ｒｏ１および抵抗Ｒｏ２を有する。第２電圧線２５０ｗは、抵抗Ｒｗ１および抵抗Ｒｗ２を有する。第１電圧線２５０ｕ、中性線２５０ｏおよび第２電圧線２５０ｗ上の抵抗Ｒｕ１、抵抗Ｒｏ１および抵抗Ｒｗ１と、抵抗Ｒｕ２、抵抗Ｒｏ２および抵抗Ｒｗ２との間には、分電盤２６０が設けられている。また、第１電圧線２５０ｕ、中性線２５０ｏおよび第２電圧線２５０ｗ上の抵抗Ｒｕ２、抵抗Ｒｏ２および抵抗Ｒｗ２の系統電源３００側には、電力計２７０が設けられている。分電盤２６０および電力計２７０は、負荷の一例である。なお、抵抗Ｒｕ１、抵抗Ｒｏ１、および抵抗Ｒｗ１は、パワーコンディショナ１０と分電盤２６０とを接続する配線の抵抗を示す。抵抗Ｒｕ２、抵抗Ｒｏ２および抵抗Ｒｗ１は、分電盤２６０と電力計２７０とを接続する配線の抵抗を示す。
【００２５】
供給電源６０は、例えば、電源ＩＣチップにより構成される。供給電源６０は、昇圧回路２０の出力側に接続され、昇圧回路２０から取り出される直流電圧から、制御装置１００に供給する予め定められた電圧を示す電力を生成し、生成された電力を制御装置１００に供給する。なお、供給電源６０は、系統電源３００からの電力を直接利用して、制御装置１００に供給する電力を生成してもよい。
【００２６】
制御装置１００は、太陽電池アレイ２００から最大電力が得られるように、昇圧回路２０、およびインバータ４０のスイッチング動作を制御して、太陽電池アレイ２００から出力される直流電圧を昇圧し、昇圧された直流電圧を交流電圧に変換して、系統電源３００側に出力する。
【００２７】
パワーコンディショナ１０は、電圧センサ１２、および１６、電流センサ１４、および１８をさらに備える。電圧センサ１２は、太陽電池アレイ２００の両端の電位差に対応する電圧Ｖ１を検知する。電圧センサ１６は、昇圧回路２０の出力側の両端の電位差に対応する電圧Ｖ２を検知する。電流センサ１４は、太陽電池アレイ２００から出力され、昇圧回路２０の入力側に流れる電流Ｉ１を検知する。電流センサ１８は、昇圧回路２０から出力される電流Ｉ２を検知する。
【００２８】
電圧検出部７０には、パワーコンディショナ１０の系統電源３００側のＵ相、Ｏ相、Ｗ相の電圧Ｖｕ１、電圧Ｖｏ１、および電圧Ｖｗ１が入力される。つまり、電圧検出部７０には、出力端子５２、５４、および５６の電圧Ｖｕ１、電圧Ｖｏ１、および電圧Ｖｗ１が入力される。電圧検出部７０には、分電盤２６０のパワーコンディショナ側のＵ相、Ｏ相、Ｗ相の電圧Ｖｕ２、電圧Ｖｏ２および電圧Ｖｗ２がさらに入力される。つまり、電圧検出部７０は、分電盤２６０が有するパワーコンディショナ１０と接続される端子２６２、２６４、および２６４の電圧Ｖｕ２、電圧Ｖｏ２および電圧Ｖｗ２がさらに入力される。
【００２９】
電圧検出部７０は、電圧Ｖｕ１と電圧Ｖｏ１との間の電位差を示す線間電圧（Ｖｕ１−Ｖｏ１）に対応する電圧Ｖｕｏ１、および電圧Ｖｗ１と電圧Ｖｏ１との間の電位差を示す線間電圧（Ｖｗ１−Ｖｏ１）に対応する電圧Ｖｗｏ１を検出する。また、電圧検出部７０は、電圧Ｖｕ２と電圧Ｖｏ２との間の電位差を示す線間電圧（Ｖｕ２−Ｖｏ２）と線間電圧（Ｖｕ１−Ｖｏ１）とが加算された電圧に対応する電圧Ｖｕｏ２を検出する。電圧検出部７０は、電圧Ｖｗ２と電圧Ｖｏ２との間の電位差を示す線間電圧（Ｖｗ２−Ｖｏ２）と線間電圧（Ｖｗ１−Ｖｏ１）とが加算された電圧に対応する電圧Ｖｗｏ２を検出する。
【００３０】
以上のように構成されたパワーコンディショナ１０は、系統電源３００側に出力する電圧が上限電圧以上にならないように、電圧を制御しなければならない。パワーコンディショナ１０は、例えば、出力端子５２および出力端子５４との間の電位差を示す電圧、および出力端子５６と出力端子５４との間の電位差を示す電圧が上限電圧以上にならないように、パワーコンディショナ１０の出力を制御してもよい。パワーコンディショナ１０は、分電盤２６０が有する端子２６２と端子２６４との間の電位差を示す電圧、および分電盤２６０が有する端子２６６と端子２６４との間の電位差を示す電圧が上限電圧以上にならないように、パワーコンディショナ１０の出力を制御してもよい。あるいは、パワーコンディショナ１０は、電力計２７０が有する分電盤２６０と接続される端子２７２と端子２７４との間の電位差を示す電圧、および電力計２７０が有する分電盤２６０と接続される端子２７６と端子２７４との間の電位差を示す電圧が上限電圧以上にならないように、パワーコンディショナ１０の出力を制御してもよい。なお、ここで、上限電圧は、系統連系規定によって定められる上限値に基づいて定められる値である。
【００３１】
制御装置１００は、電圧検出部７０により検出される電圧に基づいて、パワーコンディショナ１０の出力電圧の上昇を抑制する抑制制御を実行するか否かを判断する。制御装置１００は、抑制制御を実行すると判断した場合、例えば、インバータ４０から出力される電流の位相と、電圧の位相との間の位相差を調整することで、系統電源３００側に供給している無効電力を増加させる。または、インバータ４０から出力させる電流振幅を調整することで、有効電力を減少させる。これにより、制御装置１００は、パワーコンディショナ１０から出力される電圧が上限電圧より小さくなるまで制御する。
【００３２】
制御装置１００は、電圧検出部７０により検出される電圧に基づいて、分電盤２６０のパワーコンディショナ１０側の線間電圧（Ｖｕ２−Ｖｏ２）および線間電圧（Ｖｗ２−Ｖｏ２）を導出する。そして、制御装置１００は、導出された線間電圧（Ｖｕ２−Ｖｏ２）および線間電圧（Ｖｗ２−Ｖｏ２）の少なくとも一方が、予め定められた閾電圧以上の場合に、電圧の上昇を抑制する抑制制御を実行すると判断する。
【００３３】
本実施形態によれば、第１電圧線２５０ｕ、中性線２５０ｏおよび第２電圧線２５０ｗ上の抵抗Ｒｕ１、抵抗Ｒｏ１および抵抗Ｒｗ１による電圧降下を加味して導出された線間電圧（Ｖｕ２−Ｖｏ２）および線間電圧（Ｖｗ２−Ｖｏ２）に基づいて、電圧上昇の抑制制御の実行の有無が判断される。電圧降下を加味して抑制制御の実行の有無が判断されるので、パワーコンディショナ１０の出力電圧に対応する線間電圧（Ｖｕ１−Ｖｏ１）または線間電圧（Ｖｗ１−Ｖｏ１）に基づいて、抑制制御の実行の有無を判断する場合に比べて、より適切なタイミングで抑制制御を実行できる。したがって、不適切なタイミングで抑制制御が実行され、パワーコンディショナ１０から得られる電力を無駄にすることを防止できる。
【００３４】
なお、本実施形態では、電圧検出部７０は、分電盤２６０のパワーコンディショナ側の第１電圧線２５０ｕ、中性線２５０ｏおよび第２電圧線２５０ｗに電気的に接続されている。電圧検出部７０は、電力計２７０が有する端子２７２、２７４および２７６に接続されてもよい。しかし、電圧検出部７０は、例えば、電力計２７０のパワーコンディショナ側の第１電圧線２５０ｕ、中性線２５０ｏおよび第２電圧線２５０ｗに電気的に接続されてもよい。この場合、制御装置１００は、抵抗Ｒｕ１、抵抗Ｒｏ１、抵抗Ｒｗ１、抵抗Ｒｕ２、抵抗Ｒｏ２、および抵抗Ｒｗ２による電圧降下を加味して導出された線間電圧（Ｖｕ２−Ｖｏ２）および線間電圧（Ｖｗ２−Ｖｏ２）に基づいて、抑制制御の実行の有無を判断できる。
【００３５】
図２は、電圧検出部７０の回路構成の一例を示す図である。電圧検出部７０は、オペアンプ７２および７４、スイッチ７６を有する。オペアンプ７２および７４は、非反転入力端子、反転入力端子、出力端子を含む。オペアンプ７２の非反転入力端子には、電圧Ｖｏ１が抵抗Ｒ２を介して入力される。オペアンプ７２の非反転入力端子には、電圧Ｖｏ２が抵抗Ｒ３を介してさらに入力される。オペアンプ７２の非反転入力端子には、基準電圧Ｖｒｅｆが抵抗Ｒ１を介してさらに入力される。
【００３６】
オペアンプ７２の反転入力端子には、電圧Ｖｕ１が抵抗Ｒ２を介して入力される。オペアンプ７２の反転入力端子には、電圧Ｖｕ２が抵抗Ｒ３を介してさらに入力される。オペアンプ７２の反転入力端子には、オペアンプ７２の出力端子から出力される電圧Ｖｕｏがさらに抵抗Ｒ１を介してフィードバック入力される。
【００３７】
オペアンプ７２の非反転入力端子および反転入力端子には、スイッチ７６を介して電圧Ｖｏ２およびＶｕ２が入力される。よって、スイッチ７６がオフの場合、オペアンプ７２は、電圧Ｖｕ１と電圧Ｖｏ１との間の電位差を示す線間電圧（Ｖｕ１−Ｖｏ１）に対応する電圧Ｖｕｏ１を出力する。スイッチ７６がオンの場合、オペアンプ７２は、電圧Ｖｕ２と電圧Ｖｏ２との間の電位差を示す線間電圧（Ｖｕ２−Ｖｏ２）と線間電圧（Ｖｕ１−Ｖｏ１）とが加算された電圧に対応する電圧Ｖｕｏ２を出力する。
【００３８】
オペアンプ７４の非反転入力端子には、電圧Ｖｏ１が抵抗Ｒ２を介して入力される。オペアンプ７４の非反転入力端子には、電圧Ｖｏ２が抵抗Ｒ４を介してさらに入力される。オペアンプ７４の非反転入力端子には、基準電圧Ｖｒｅｆが抵抗Ｒ１を介してさらに入力される。
【００３９】
オペアンプ７４の反転入力端子には、電圧Ｖｗ１が抵抗Ｒ２を介して入力される。オペアンプ７４の反転入力端子には、電圧Ｖｗ２が抵抗Ｒ４を介してさらに入力される。オペアンプ７４の反転入力端子には、オペアンプ７４の出力端子から出力される電圧Ｖｗｏがさらにフィードバック入力される。
【００４０】
オペアンプ７４の非反転入力端子および反転入力端子には、スイッチ７６を介して電圧Ｖｏ２およびＶｗ２が入力される。よって、スイッチ７６がオフの場合、オペアンプ７４は、電圧Ｖｗ１と電圧Ｖｏ１との間の電位差を示す線間電圧（Ｖｗ１−Ｖｏ１）に対応する電圧Ｖｗｏ１を出力する。スイッチ７６がオンの場合、オペアンプ７４は、電圧Ｖｗ２と電圧Ｖｏ２との間の電位差を示す線間電圧（Ｖｗ２−Ｖｏ２）と線間電圧（Ｖｗ１−Ｖｏ１）とが加算された電圧に対応する電圧Ｖｗｏ２を出力する。
【００４１】
上記の電圧検出部７０によれば、電圧Ｖｕｏ１または電圧Ｖｗｏ１を検出するオペアンプは、電圧Ｖｕｏ２またはＶｗｏ２を検出するオペアンプを兼用している。よって、線間電圧（Ｖｕ２−Ｖｏ２）または線間電圧（Ｖｗ２−Ｖｏ２）を導出するためのオペアンプを新たに設ける必要がない。
【００４２】
図３は、制御装置１００の機能ブロックの一例を示す。制御装置１００は、電圧取得部１０２、線間電圧導出部１０４、および抑制制御部１０６を備える。電圧取得部１０２は、系統電源３００と連系するパワーコンディショナ１０の系統電源３００側の線間電圧（Ｖｕ１−Ｖｏ１）および線間電圧（Ｖｗ１−Ｖｏ１）に対応する電圧Ｖｕｏ１および電圧Ｖｗｏ１を検出する電圧検出部７０から電圧Ｖｕｏ１および電圧Ｖｗｏ１を取得する。
【００４３】
線間電圧導出部１０４は、電圧Ｖｕｏ１および電圧Ｖｗｏ１に基づいて、パワーコンディショナ１０と系統電源３００との間に設けられた分電盤２６０のパワーコンディショナ１０側の線間電圧（Ｖｕ２−Ｖｏ２）および線間電圧（Ｖｗ２−Ｖｏ２）を導出する。
【００４４】
抑制制御部１０６は、導出された線間電圧（Ｖｕ２−Ｖｏ２）または線間電圧（Ｖｗ２−Ｖｏ２）が閾電圧Ｖｔｈ２以上の場合、パワーコンディショナ１０の出力電圧の上昇を抑制する抑制制御を実行する。抑制制御部１０６は、例えば、インバータ４０が備える各スイッチのオンオフを制御して、パワーコンディショナ１０から出力される無効電力を制御することで、抑制制御を実行する。
【００４５】
線間電圧導出部１０４は、電圧Ｖｕｏ１または電圧Ｖｗｏ１が閾電圧Ｖｔｈ１の場合に、線間電圧（Ｖｕ２−Ｖｏ２）および線間電圧（Ｖｗ２−Ｖｏ２）を導出してもよい。閾電圧Ｖｔｈ１は、閾電圧Ｖｔｈ２と同一の値でもよい。または、閾電圧Ｖｔｈ１は、閾電圧Ｖｔｈ２より大きくてもよい。
【００４６】
電圧取得部１０２は、スイッチ７６がオフ状態にある電圧検出部７０から、パワーコンディショナ１０の系統電源３００側の第１電圧線２５０ｕと中性線２５０ｏとの間の線間電圧（Ｖｕ１−Ｖｏ１）に対応する電圧Ｖｕｏ１を取得する。電圧取得部１０２は、スイッチ７６がオフ状態にある電圧検出部７０から、パワーコンディショナ１０の系統電源３００側の第２電圧線２５０ｗと中性線２５０ｏとの間の線間電圧（Ｖｗ１−Ｖｏ１）に対応する電圧Ｖｗｏ１を取得する。
【００４７】
また、電圧取得部１０２は、スイッチ７６がオン状態にある電圧検出部７０から、パワーコンディショナ１０の系統電源３００側の第１電圧線２５０ｕと中性線２５０ｏとの間の線間電圧（Ｖｕ１−Ｖｏ１）と、分電盤２６０のパワーコンディショナ１０側の第１電圧線２５０ｕと中性線２５０ｏとの間の線間電圧（Ｖｕ２−Ｖｏ２）とが加算された電圧に対応する電圧Ｖｕｏ２を取得してもよい。電圧取得部１０２は、スイッチ７６がオン状態にある電圧検出部７０から、パワーコンディショナ１０の系統電源３００側の第２電圧線２５０ｗと中性線２５０ｏとの間の線間電圧（Ｖｗ１−Ｖｏ１）と、分電盤２６０のパワーコンディショナ１０側の第２電圧線２５０ｗと中性線２５０ｏとの間の線間電圧（Ｖｗ２−Ｖｏ２）とが加算された電圧に対応する電圧Ｖｗｏ２を取得してもよい。
【００４８】
線間電圧導出部１０４は、電圧Ｖｕｏ１または電圧Ｖｗｏ１と、電圧Ｖｕｏ２または電圧Ｖｗｏ２とに基づいて、線間電圧（Ｖｕ２−Ｖｏ２）または線間電圧（Ｖｗ２−Ｖｏ２）を導出してもよい。
【００４９】
ここで、Ｖｕｏ１およびＶｗｏ１は、式（１）および式（２）により表すことができる。
Ｖｕｏ１＝Ｒ１／Ｒ２×（Ｖｕ１−Ｖｏ１）＋Ｖｒｅｆ・・・（１）
Ｖｗｏ１＝Ｒ１／Ｒ２×（Ｖｗ１−Ｖｏ１）＋Ｖｒｅｆ・・・（２）
【００５０】
また、Ｖｕｏ２およびＶｗｏ２は、式（３）および式（４）により表すことができる。
Ｖｕｏ２＝Ｒ１／Ｒ２×（Ｖｕ１−Ｖｏ２）＋Ｒ１／Ｒ３×（Ｖｕ２−Ｖｏ２）＋Ｖｒｅｆ・・・（３）
Ｖｗｏ２＝Ｒ１／Ｒ２×（Ｖｗ１−Ｖｏ２）＋Ｒ１／Ｒ４×（Ｖｗ２−Ｖｏ２）＋Ｖｒｅｆ・・・（４）
【００５１】
また、式（３）−式（１）は、式（５）により表すことができ、式（４）−式（２）は、式（６）により表すことができる。
Ｒ１／Ｒ３×（Ｖｕ２−Ｖｏ２）＝Ｖｕｏ２−Ｖｕｏ１・・・（５）
Ｒ１／Ｒ４×（Ｖｗ２−Ｖｏ２）＝Ｖｗｏ２−Ｖｗ０１・・・（６）
【００５２】
よって、線間電圧（Ｖｕ２−Ｖｏ２）および線間電圧（Ｖｗ２−Ｖｏ２）は、式（７）および式（８）により表すことができる。
（Ｖｕ２−Ｖｏ２）＝（Ｖｕｏ２−Ｖｕｏ１）／（Ｒ１／Ｒ３）・・・（７）
（Ｖｗ２−Ｖｏ２）＝（Ｖｗｏ２−Ｖｕｏ１）／（Ｒ１／Ｒ４）・・・（８）
【００５３】
抵抗Ｒ１，Ｒ２，Ｒ３，およびＲ４は、予め測定され、制御装置１００がメモリ等に保持している値を利用できる。よって、線間電圧導出部１０４は、電圧Ｖｕｏ１または電圧Ｖｗｏ１と、電圧Ｖｕｏ２または電圧Ｖｗｏ２とを式（７）または式（８）に導入することで、線間電圧（Ｖｕ２−Ｖｏ２）または線間電圧（Ｖｗ２−Ｖｏ２）を導出できる。
【００５４】
図４は、制御装置１００により実行される電圧上昇の抑制制御についてのフローチャートの一例を示す。
【００５５】
電圧取得部１０２が、電圧検出部７０のスイッチ７６をオフした状態で、電圧検出部７０から、電圧Ｖｕｏ１および電圧Ｖｗｏ１を取得する（Ｓ１００）。電圧取得部１０２は、電圧Ｖｕｏ１または電圧Ｖｗｏ１が閾電圧Ｖｔｈ１以上か否かを判定する（Ｓ１０２）。電圧Ｖｕｏ１または電圧Ｖｗｏ１が閾電圧Ｖｔｈ１以上の場合、電圧取得部１０２は、スイッチ７６をオンした状態で、電圧検出部７０から電圧Ｖｕｏ２および電圧Ｖｗｏ２を取得する（Ｓ１０４）。
【００５６】
次いで、線間電圧導出部１０４は、式（７）および式（８）を利用して、線間電圧（Ｖｕ２−Ｖｏ２）および線間電圧（Ｖｗ２−Ｖｏ２）を導出する（Ｓ１０６）。なお、線間電圧導出部１０４は、制御装置１００が予め保持している電圧Ｖｕｏ１または電圧Ｖｗｏ１、および電圧Ｖｕｏ２または電圧Ｖｗｏ２と、線間電圧（Ｖｕ２−Ｖｏ２）または線間電圧（Ｖｗ２−Ｖｏ２）との関係を示すテーブルを参照して、取得した電圧Ｖｕｏ１または電圧Ｖｗｏ１、および電圧Ｖｕｏ２または電圧Ｖｗｏ２に対応する線間電圧（Ｖｕ２−Ｖｏ２）または線間電圧（Ｖｗ２−Ｖｏ２）を特定することで、線間電圧（Ｖｕ２−Ｖｏ２）または線間電圧（Ｖｗ２−Ｖｏ２）を導出してもよい。つまり、線間電圧導出部１０４は、式（７）および式（８）を利用して、線間電圧（Ｖｕ２−Ｖｏ２）および線間電圧（Ｖｗ２−Ｖｏ２）を、電圧Ｖｕｏ２または電圧Ｖｗｏ２を取得する毎に算出しなくてもよい。
【００５７】
抑制制御部１０６は、導出された線間電圧（Ｖｕ２−Ｖｏ２）または線間電圧（Ｖｗ２−Ｖｏ２）が閾電圧Ｖｔｈ２以上か否かを判定する（Ｓ１０８）。線間電圧（Ｖｕ２−Ｖｏ２）または線間電圧（Ｖｗ２−Ｖｏ２）が閾電圧Ｖｔｈ２以上の場合、抑制制御部１０６は、例えば、インバータ４０が備える各スイッチのオンオフを制御して、パワーコンディショナ１０から出力される無効電力を制御することで、抑制制御を実行する（Ｓ１１０）。
【００５８】
図５は、本実施形態の変形例に係る太陽電池システムの全体構成の一例を示すシステム構成図を示す。変形例に係る太陽電池システムは、電圧検出部７０が、分電盤２６０のパワーコンディショナ側の第２電圧線２５０ｗに接続されていない点で、図１に示す太陽電池システムと異なる。また、パワーコンディショナ１０が、インバータ４０から出力電流を検出する電流センサ１９を備える点で、図１に示す太陽電池システムと異なる。
【００５９】
図６は、変形例に係る電圧検出部７０の回路構成の一例を示す。変形例に係る電圧検出部７０は、オペアンプ７４の非反転入力端子に、電圧Ｖｏ２が抵抗Ｒ４を介して入力されていない点で、図２に示す電圧検出部７０と異なる。また、変形例に係る電圧検出部７０は、オペアンプ７４の反転入力端子に、電圧Ｖｗ２が抵抗Ｒ４を介して入力されていない点で、図２に示す電圧検出部７０と異なる。
【００６０】
図７は、変形例に係る制御装置１００の機能ブロックの一例を示す。変形例に係る制御装置１００は、電流取得部１０３を備える点で、図３に示す制御装置１００と異なる。電流取得部１０３は、電流センサ１９を介してインバータ４０から出力される電流Ｉｏを、パワーコンディショナ１０の出力電流として取得する。
【００６１】
線間電圧導出部１０４は、電圧Ｖｕｏ１と、電圧Ｖｕｏ２とに基づいて、式（７）を利用して、線間電圧（Ｖｕ２−Ｖｏ２）を算出してもよい。また、線間電圧導出部１０４は、電圧Ｖｕｏ１、電圧Ｖｕｏ２、および電流Ｉｏに基づいて、線間電圧（Ｖｗ２−Ｖｏ２）を導出してもよい。
【００６２】
ここで、第１電圧線２５０ｕおよび第２電圧線２０５ｗは、例えば、それぞれ同一の材料で同一の長さの電線を用いる。よって、抵抗Ｒｕ１および抵抗Ｒｗ１のインピーダンスの大きさは、同じである。また、中性線２５０ｏには、Ｕ相の電流とＷ相の逆位相の電流とが流れるので、実質的に電流は流れない。
【００６３】
そこで、抵抗Ｒｕ１および抵抗Ｒｗ１とは、式（９）により表すことができる。
Ｒｕ１＝（（Ｖｕ１−Ｖｏ１）−（Ｖｕ２−Ｖｏ２））／Ｉｏ＝Ｒｗ１・・・（９）
【００６４】
ここで、制御装置１００は、抵抗Ｒｕ１および抵抗Ｒｗ１を導出する場合、スイッチ７６がオフ状態で、電圧取得部１０２が電圧Ｖｕｏ１および電圧Ｖｗｏ１を取得する期間と、スイッチ７６がオン状態で、電圧取得部１０２が電圧Ｖｕｏ２を取得する期間とで、Ｉｏが一定になるように、インバータ４０等を制御する。
【００６５】
線間電圧導出部１０４は、式（１）および式（７）を式（９）に導入して、電圧Ｖｕｏ１、電圧Ｖｏ２および電流Ｉｏに基づいて、抵抗Ｒｕ１および抵抗Ｒｗ１を導出する。
【００６６】
また、線間電圧（Ｖｗ２−Ｖｏ２）は、式（１０）により表すことができる。
（Ｖｗ２−Ｖｏ２）＝（Ｖｗ１−Ｖｏ１）−Ｒｗ１×Ｉｏ・・・（１０）
【００６７】
よって、線間電圧導出部１０４は、式（２）を式（１０）に導入して、線間電圧（Ｖｗ２−Ｖｏ２）の導出の際に取得された電圧Ｖｗｏ１および電流Ｉｏに基づいて、線間電圧（Ｖｗ２−Ｖｏ２）を導出する。
【００６８】
抑制制御部１０６は、導出された線間電圧（Ｖｕ２−Ｖｏ２）または線間電圧（Ｖｗ２−Ｖｏ２）が、閾電圧Ｖｔｈ２以上の場合、電圧上昇の抑制制御を実行する。
【００６９】
なお、線間電圧導出部１０４は、パワーコンディショナ１０が起動したときに、抵抗Ｒｕ１および抵抗Ｒｗ１を導出し、制御装置１００が備えるメモリ等に記憶しておいてもよい。そして、線間電圧導出部１０４は、パワーコンディショナ１０が動作中に、周期的に、電圧取得部１０２により取得された電圧Ｖｕｏ１、電圧Ｖｕｏ２、および電流取得部１０３により取得された電流Ｉｏ、並びに予め導出された抵抗Ｒｗ１に基づいて、線間電圧（Ｖｕ２−Ｖｏ２）および線間電圧（Ｖｗ２−Ｖｏ２）を導出してもよい。
【００７０】
以上、変形例によれば、電圧検出部７０と分電盤２６０のパワーコンディショナ側の第２電圧線２５０ｗとを接続することなく、線間電圧（Ｖｗ２−Ｖｏ２）を導出することができる。
【００７１】
図８は、本実施形態の他の変形例に係る太陽電池システムの全体構成の一例を示すシステム構成図を示す。他の変形例に係る太陽電池システムは、電圧検出部７０が、分電盤２６０のパワーコンディショナ側の第１電圧線２５０ｕと第２電圧線２５０ｗとに接続され、中性線２５０ｏに接続されていない点で、図５に示す太陽電池システムと異なる。
【００７２】
図９は、他の変形例に係る電圧検出部７０の回路構成の一例を示す。電圧検出部７０は、オペアンプ７２およびオペアンプ７４に加えて、オペアンプ７８をさらに有する。オペアンプ７２は、電圧Ｖｕ１と電圧Ｖｏ１との間の電位差に対応する電圧Ｖｕｏ１を出力する。オペアンプ７４は、電圧Ｖｗ１と電圧Ｖｏ１との間の電位差に対応する電圧Ｖｗｏ１を出力する。オペアンプ７６は、電圧Ｖｕ２と電圧Ｖｗ２との間の電位差に対応する電圧Ｖｗｕ２を出力する。
【００７３】
オペアンプ７２の反転入力端子には、電圧Ｖｕ１が抵抗Ｒ２を介して入力される。オペアンプ７２の反転入力端子には、オペアンプ７２の出力端子から出力される電圧Ｖｕｏ１がさらにフィードバック入力される。
【００７４】
オペアンプ７２の非反転入力端子には、電圧Ｖｏ１が抵抗Ｒ２を介して入力される。オペアンプ７２の非反転入力端子には、基準電圧Ｖｒｅｆが抵抗Ｒ１を介してさらに入力される。
【００７５】
オペアンプ７４の反転入力端子には、電圧Ｖｗ１が抵抗Ｒ２を介して入力される。オペアンプ７４の反転入力端子には、オペアンプ７４の出力端子から出力される電圧Ｖｗｏ１が抵抗Ｒ１を介してさらにフィードバック入力される。
【００７６】
オペアンプ７４の非反転入力端子には、電圧Ｖｏ１が抵抗Ｒ２を介して入力される。オペアンプ７４の非反転入力端子には、基準電圧Ｖｒｅｆが抵抗Ｒ１を介してさらに入力される。
【００７７】
オペアンプ７８の反転入力端子には、電圧Ｖｗ２が抵抗Ｒ４を介して入力される。オペアンプ７８の反転入力端子には、オペアンプ７６の出力端子から出力される電圧Ｖｗｕ２が抵抗Ｒ３を介してさらにフィードバック入力される。
【００７８】
オペアンプ７８の非反転入力端子には、電圧Ｖｕ１が抵抗Ｒ４を介して入力される。オペアンプ７８の非反転入力端子には、基準電圧Ｖｒｅｆが抵抗Ｒ３を介してさらに入力される。
【００７９】
ここで、Ｖｕｏ１、Ｖｗｏ１、およびＶｗｕ２は、式（１１）、式（１２）、および式（１３）により表すことができる。
Ｖｕｏ１＝Ｒ１／Ｒ２×（Ｖｕ１−Ｖｏ１）＋Ｖｒｅｆ・・・（１１）
Ｖｗｏ１＝Ｒ１／Ｒ２×（Ｖｗ１−Ｖｏ１）＋Ｖｒｅｆ・・・（１２）
Ｖｗｕ２＝Ｒ３／Ｒ４×（Ｖｗ２−Ｖｕ２）＋Ｖｒｅｆ・・・（１３）
【００８０】
また、上記の通り、中性線２５０ｏには実質的に電流が流れない。そこで、パワーコンディショナ１０の系統電源３００側の第１電圧線２５０ｕと第２電圧線２５０ｗとの間の電位差を示す（Ｖｕ１−Ｖｏ１）＋（Ｖｗ１−Ｖｏ１）は、式（１４）により、表すことができる。
（Ｖｕ１−Ｖｏ１）＋（Ｖｗ１−Ｖｏ１）＝（Ｖｗ２−Ｖｕ２）＋（Ｒｕ１＋Ｒｗ１）×Ｉｏ・・・（１４）
【００８１】
そして、式（１４）により、（Ｒｕ１＋Ｒｗ１）は、式（１５）により表すことができる。
（Ｒｕ１＋Ｒｗ１）＝（（Ｖｕ１−Ｖｏ１）＋（Ｖｗ１−Ｖｏ１）−（Ｖｗ２−Ｖｕ２））／Ｉｏ・・・（１５）
【００８２】
また、上記の通り、抵抗Ｒｕ１および抵抗Ｒｗ１のインピーダンスは同一なので、抵抗Ｒｕ１および抵抗Ｒｗ１は、式（１６）により表すことができる。
Ｒｕ１＝Ｒｗ１＝（Ｒｕ１＋Ｒｗ１）／２・・・（１６）
【００８３】
線間電圧導出部１０４は、例えば、パワーコンディショナ１０の起動時に電圧取得部１０２が取得した電圧Ｖｕｏ１、電圧Ｖｗｏ１、および電圧Ｖｗｕ２に基づいて、式（１１）〜（１６）を利用することで、抵抗Ｒｕ１および抵抗Ｒｗ１を導出する。制御装置１００は、導出された抵抗Ｒｕ１および抵抗Ｒｗ１をメモリ等に保持しておく。
【００８４】
さらに、線間電圧（Ｖｕ２−Ｖｏ２）および線間電圧（Ｖｗ２−Ｖｏ２）は、式（１７）および式（１８）により表すことができる。
Ｖｕ２−Ｖｏ２＝（Ｖｕ１−Ｖｏ１）−Ｒｕ１×Ｉｏ・・・（１７）
Ｖｗ２−Ｖｏ２＝（Ｖｗ２−Ｖｏ１）−Ｒｗ１×Ｉｏ・・・（１８）
【００８５】
線間電圧導出部１０４は、式（１１）および式（１７）を利用して、メモリ等に保持されている抵抗Ｒｕ１、線間電圧（Ｖｕ２−Ｖｏ２）の導出の際に取得された電圧Ｖｕｏ１および電流Ｉｏに基づいて、線間電圧（Ｖｕ２−Ｖｏ２）を導出する。また、線間電圧導出部１０４は、式（１２）および式（１８）を利用して、メモリ等に保持されている抵抗Ｒｗ１、線間電圧（Ｖｗ２−Ｖｏ２）の導出の際に取得された電圧Ｖｗｏ１および電流Ｉｏに基づいて、線間電圧（Ｖｗ２−Ｖｏ２）を導出する。
【００８６】
以上、他の変形例によれば、電圧検出部７０と分電盤２６０のパワーコンディショナ側の中性線２５０ｏとを接続することなく、線間電圧（Ｖｕ２−Ｖｏ２）および線間電圧（Ｖｗ２−Ｖｏ２）を導出することができる。
【００８７】
以上の通り、本実施形態および各変形例によれば、電圧検出部７０により検出されたパワーコンディショナ１０の系統電源３００側の線間電圧（Ｖｕ１−Ｖｏ１）および（Ｖｗ１−Ｖｏ１）に対応する電圧Ｖｕｏ１および電圧Ｖｗｏ１に基づいて、第１電圧線２５０ｕ、中性線２５０ｏおよび第２電圧線２５０ｗ上の抵抗Ｒｕ１、抵抗Ｒｏ１および抵抗Ｒｗ１による電圧降下を加味して、線間電圧（Ｖｕ２−Ｖｏ２）および線間電圧（Ｖｗ２−Ｖｏ２）を導出する。そして、電圧降下を加味して導出された線間電圧（Ｖｕ２−Ｖｏ２）および線間電圧（Ｖｗ２−Ｖｏ２）に基づいて、電圧上昇の抑制制御の実行の有無が判断される。電圧降下を加味して抑制制御の実行の有無が判断されるので、パワーコンディショナ１０の出力電圧に対応する線間電圧（Ｖｕ１−Ｖｏ１）または線間電圧（Ｖｗ１−Ｖｏ１）に基づいて、電圧上昇抑制制御の実行の有無を判断する場合に比べて、より適切なタイミングで電圧上昇の抑制制御を実行できる。したがって、不適切なタイミングで電圧上昇の抑制制御が実行され、パワーコンディショナ１０から得られる電力を無駄にすることを防止できる。
【００８８】
また、既存の分電盤に電圧センサなどの追加の回路を設けることなく、線間電圧（Ｖｕ２−Ｖｏ２）および線間電圧（Ｖｗ２−Ｖｏ２）を導出することができる。よって、電圧センサなどの追加の回路を設けることを目的として、分電盤を交換または改良する必要がない。
【００８９】
なお、パワーコンディショナ１０の設置場所と分電盤２６０の設置場所との間の距離が長い場合など、パワーコンディショナ１０および分電盤２６０の設置状況によっては、電圧検出部７０と分電盤２６０の端子２６２、２６４、および２６６、または電力計２７０の端子２７２、２７４、および２７６との間を新たに配線できない場合がある。また、例えば、パワーコンディショナ１０と分電盤２６０との距離が短い場合、パワーコンディショナ１０と分電盤２６０との間の配線抵抗による電圧降下が比較的少なく、パワーコンディショナ１０の出力端子間の電圧と、分電盤２６０の端子間の電圧とに大きな差がない場合がある。このような場合、線間電圧（Ｖｕ２−Ｖｏ２）および線間電圧（Ｖｗ２−Ｖｏ２）を導出しなくても、不適切なタイミングで電圧上昇の抑制制御が実行され、パワーコンディショナ１０から得られる電力を無駄にする可能性が少ない。このような場合には、電圧検出部７０と分電盤２６０または電力計２７０とが接続されない場合もある。
【００９０】
上記のように、電圧検出部７０と分電盤２６０または電力計２７０とが接続されない場合、線間電圧導出部１０４は、線間電圧（Ｖｕ２−Ｖｏ２）および線間電圧（Ｖｗ２−Ｖｏ２）を導出できない。例えば、電圧検出部７０が、図２または図６に示す回路構成の場合、スイッチ７６をオンしたときとオフしたときとで、電圧検出部７０から取得する電圧Ｖｕｏの値に変化がない場合、線間電圧導出部１０４は、線間電圧（Ｖｕ２−Ｖｏ２）および線間電圧（Ｖｗ２−Ｖｏ２）を導出できないと判断してもよい。また、電圧検出部７０が、図９に示す回路構成の場合、線間電圧導出部１０４は、電圧検出部７０から取得する電圧Ｖｗｕ２が基準電圧Ｖｒｅｆと一致する場合、線間電圧（Ｖｕ２−Ｖｏ２）および線間電圧（Ｖｗ２−Ｖｏ２）を導出できないと判断してもよい。そして、線間電圧導出部１０４が線間電圧（Ｖｕ２−Ｖｏ２）および線間電圧（Ｖｗ２−Ｖｏ２）を導出できないと判断した場合、抑制制御部１０６は、線間電圧（Ｖｕ２−Ｖｏ２）および線間電圧（Ｖｗ２−Ｖｏ２）の代わりに線間電圧（Ｖｕ１−Ｖｏ１）および線間電圧（Ｖｗ１−Ｖｏ１）に基づいて抑制制御を実行してもよい。
【００９１】
また、作業者が電圧検出部７０と分電盤２６０または電力計２７０とを接続しなかった場合に、制御装置１００に対して、線間電圧導出部１０４は線間電圧（Ｖｕ２−Ｖｏ２）および線間電圧（Ｖｗ２−Ｖｏ２）を導出できないことを登録してもよい。あるいは、作業者が、抑制制御の実行を、線間電圧（Ｖｕ２−Ｖｏ２）および線間電圧（Ｖｗ２−Ｖｏ２）に基づいて行うのか、線間電圧（Ｖｕ１−Ｖｏ１）および線間電圧（Ｖｗ１−Ｖｏ１）に基づいて行うのかを登録してもよい。この場合、抑制制御部１０６は、登録内容に応じて、線間電圧（Ｖｕ２−Ｖｏ２）および線間電圧（Ｖｗ２−Ｖｏ２）、または線間電圧（Ｖｕ１−Ｖｏ１）および線間電圧（Ｖｗ１−Ｖｏ１）に基づいて選択的に抑制制御を実行してもよい。
【００９２】
なお、本実施形態に係る制御装置１００が備える各部は、パワーコンディショナ１０の電圧上昇の抑制制御に関する各種処理を行う、コンピュータ読み取り可能な記録媒体に記録されたプログラムをインストールし、このプログラムをコンピュータに実行させることで、構成してもよい。つまり、コンピュータにパワーコンディショナ１０の電圧上昇の抑制制御に関する各種処理を行うプログラムを実行させることにより、制御装置１００が備える各部としてコンピュータを機能させることで、制御装置１００を構成してもよい。
【００９３】
コンピュータはＣＰＵ、ＲＯＭ、ＲＡＭ、ＥＥＰＲＯＭ（登録商標）等の各種メモリ、通信バス及びインタフェースを有し、予めファームウェアとしてＲＯＭに格納された処理プログラムをＣＰＵが読み出して順次実行することで、制御装置１００として機能する。
【００９４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００９５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００９６】
１０  パワーコンディショナ
１２，１６  電圧センサ
１４，１８，１９  電流センサ
２０  昇圧回路
４０  インバータ
５０  リレー
６０  供給電源
７０  電圧検出部
１００  制御装置
１０２  電圧取得部
１０３  電流取得部
１０４  線間電圧導出部
１０６  抑制制御部
２００  太陽電池アレイ
２５０ｕ  第１電圧線
２５０ｏ  中性線
２５０ｗ  第２電圧線
２６０  分電盤
２７０  電力計
３００  系統電源
【図１】
2014180113.tif 000003
【図２】
2014180113.tif 000004
【図３】
2014180113.tif 000005
【図４】
2014180113.tif 000006
【図５】
2014180113.tif 000007
【図６】
2014180113.tif 000008
【図７】
2014180113.tif 000009
【図８】
2014180113.tif 000010
【図９】
2014180113.tif 000011